(57)【要約】  記録／再生装置及び方法、その情報記録媒体が開示される。各記録層が同じ再生／記録光学系を利用してデータが再生されたりデータが記録される少なくとも２以上の記録層を含む情報記録媒体は、少なくとも２以上の記録層それぞれには、ユーザデータを保存するための少なくとも２つの互いに異なるデータフォーマットによるＥＣＣブロックがそれぞれ記録されることを特徴とする。
2011503765.tif 000002
【特許請求の範囲】
【請求項１】
各記録層に、同じ記録及び／または再生の光学系を利用してデータが再生／記録される少なくとも２以上の記録層を含む情報記録媒体において、
前記少なくとも２以上の記録層それぞれには、ユーザデータを保存するための少なくとも２つのデータフォーマットによるエラー訂正コード（ＥＣＣ）ブロックがそれぞれ記録されることを特徴とする情報記録媒体。
【請求項２】
第１厚のカバー層を有する記録層には、少なくとも２つのデータフォーマットのうち、第１エラー訂正性能を有するデータフォーマットを利用してＥＣＣブロックが記録され、前記第１厚よりさらに薄い第２厚のカバー層を有するさらに他の記録層には、前記少なくとも２つのデータフォーマットのうち、前記第１エラー訂正性能と比較して、相対的に高い第２エラー訂正性能を有するデータフォーマットを利用してＥＣＣブロックが記録されることを特徴とする請求項１に記載の情報記録媒体。
【請求項３】
前記各記録層には、ユーザデータが記録されるデータ領域とは別途のディスク管理情報領域が設けられ、前記各記録層のディスク管理情報領域には、同じデータフォーマットを有する少なくとも１つのＥＣＣブロックが記録されることを特徴とする請求項１に記載の情報記録媒体。
【請求項４】
第１データフォーマットを利用して第１ＥＣＣブロックに記録された第１ユーザデータの欠陥管理または論理的書き換えによる代替のための第１代替データは、第１データフォーマットを利用して第１ＥＣＣブロックに記録され、第２データフォーマットを利用して第２ＥＣＣブロックに記録された第２ユーザデータの欠陥管理または論理的書き換えによる代替のための第２代替データは、第２データフォーマットを利用して第２ＥＣＣブロックに記録されることを特徴とする請求項１に記載の情報記録媒体。
【請求項５】
前記第１データフォーマットを有する第１ＥＣＣブロックが記録される記録層に設けられ、前記第１代替データを記録するための第１スペア領域と、
前記第２データフォーマットを有する第２ＥＣＣブロックが記録される記録層に設けられ、前記第２代替データを記録するための第２スペア領域とをさらに含むことを特徴とする請求項４に記載の情報記録媒体。
【請求項６】
各記録層が同じ再生及び／または記録光学系を利用してデータが再生されたりデータが記録される少なくとも２以上の記録層を有する情報記録媒体に、データを記録する方法において、
前記少なくとも２以上の記録層それぞれに、ユーザデータを保存するための少なくとも２つのデータフォーマットによるＥＣＣブロックをそれぞれ記録する段階を含むことを特徴とする記録方法。
【請求項７】
前記記録段階は、
第１厚のカバー層を有する記録層には、少なくとも２つのデータフォーマットのうち、第１エラー訂正性能を有するデータフォーマットを利用してＥＣＣブロックを記録する段階と、
前記第１厚よりさらに薄い第２厚のカバー層を有するさらに他の記録層には、前記少なくとも２つのデータフォーマットのうち、前記第１エラー訂正性能と比較して、相対的に高い第２エラー訂正性能を有するデータフォーマットを利用してＥＣＣブロックを記録する段階とを含むことを特徴とする請求項６に記載の記録方法。
【請求項８】
前記各記録層には、ディスク管理情報領域が設けられ、前記記録段階は、
前記各記録層のディスク管理情報領域には、同じデータフォーマットを有するＥＣＣブロックを記録する段階を含むことを特徴とする請求項６に記載の記録方法。
【請求項９】
前記記録段階は、
第１データフォーマットを利用して第１ＥＣＣブロックに記録された第１ユーザデータの欠陥管理または論理的書き換えによる代替のための第１代替データを、第１データフォーマットを利用して第１ＥＣＣブロックに記録する段階と、
第２データフォーマットを利用して第２ＥＣＣブロックに記録された第２ユーザデータの欠陥管理または論理的書き換えによる代替のための第２代替データを、第２データフォーマットを利用して第２ＥＣＣブロックに記録する段階とを含むことを特徴とする請求項６に記載の記録方法。
【請求項１０】
前記記録段階は、
前記第１代替データは、前記情報記録媒体の第１スペア領域に記録し、前記第２代替データは、前記第１スペア領域と分離されて設けられた第２スペア領域に記録する段階を含むことを特徴とする請求項９に記載の記録方法。
【請求項１１】
各記録層が同じ再生及び／または記録光学系を利用してデータが再生されたりデータが記録される少なくとも２以上の記録層を有する情報記録媒体に、データを記録する記録装置において、
情報記録媒体にデータを記録する記録部と、
前記少なくとも２以上の記録層それぞれには、ユーザデータを保存するための少なくとも２つのデータフォーマットによるＥＣＣブロックをそれぞれ記録するように、前記記録部を制御する制御部とを含むことを特徴とする記録装置。
【請求項１２】
前記制御部は、
第１厚のカバー層を有する記録層には、少なくとも２つのデータフォーマットのうち、第１エラー訂正性能を有するデータフォーマットを利用してＥＣＣブロックを記録し、前記第１厚よりさらに薄い第２厚のカバー層を有するさらに他の記録層には、前記少なくとも２つのデータフォーマットのうち、前記第１エラー訂正性能と比較して、相対的に高い第２エラー訂正性能を有するデータフォーマットを利用してＥＣＣブロックを記録するように、前記記録部をさらに制御することを特徴とする請求項１１に記載の記録装置。
【請求項１３】
前記各記録層には、ディスク管理情報領域が設けられ、
前記制御部は、前記各記録層のディスク管理情報領域に同じデータフォーマットを有するＥＣＣブロックを記録するように、前記記録部をさらに制御することを特徴とする請求項１１に記載の記録装置。
【請求項１４】
前記制御部は、
第１データフォーマットを有する第１タイプＥＣＣブロックに、欠陥管理オペレーションまたは論理的書き換えオペレーションを行い、前記第１データフォーマットを有する第１タイプＥＣＣブロックの第１ユーザデータを代替する第１代替データを保存し、第２データフォーマットを有する第２タイプＥＣＣブロックに、欠陥管理オペレーションまたは論理的書き換えオペレーションを行い、前記第２データフォーマットを有する第２タイプＥＣＣブロックの第２ユーザデータを代替する第２代替データを保存するように、前記記録部をさらに制御することを特徴とする請求項１１に記載の記録装置。
【請求項１５】
前記制御部は、
前記第１代替データは、前記情報記録媒体の第１スペア領域に記録し、前記第２代替データは、前記第１スペア領域と分離されて設けられた第２スペア領域に記録するように、前記記録部をさらに制御することを特徴とする請求項１４に記載の記録装置。
【請求項１６】
各記録層が同じ再生／記録光学系を利用してデータが再生されたりデータが記録される少なくとも２以上の記録層を有する情報記録媒体からデータを再生する再生方法において、
ユーザデータを保存するための少なくとも２つのデータフォーマットを有するＥＣＣブロックを、それぞれ互いに異なる記録層から再生する段階を含むことを特徴とする再生方法。
【請求項１７】
前記再生段階は、
第１厚のカバー層を有する記録層から、少なくとも２つのデータフォーマットのうち、第１エラー訂正性能を有するデータフォーマットを利用してＥＣＣブロックを再生し、前記第１厚よりさらに薄い第２厚のカバー層を有するさらに他の記録層から、前記少なくとも２つのデータフォーマットのうち、前記第１エラー訂正性能と比較して、相対的に高い第２エラー訂正性能を有するデータフォーマットを利用してＥＣＣブロックを再生する段階を含むことを特徴とする請求項１６に記載の再生方法。
【請求項１８】
前記各記録層には、ディスク管理情報領域が設けられ、
前記再生段階は、
前記各記録層のディスク管理情報領域から同じデータフォーマットを有するＥＣＣブロックを再生する段階を含むことを特徴とする請求項１６に記載の再生方法。
【請求項１９】
前記再生段階は、
第１データフォーマットを有する第１タイプＥＣＣブロックに、欠陥管理オペレーションまたは論理的書き換えオペレーションを行い、前記第１データフォーマットを有する第１タイプＥＣＣブロックの第１ユーザデータを代替する第１代替データを再生する段階と、
第２データフォーマットを有する第２タイプＥＣＣブロックに、欠陥管理オペレーションまたは論理的書き換えオペレーションを行い、前記第２データフォーマットを有する第２タイプＥＣＣブロックの第２ユーザデータを代替する第２代替データを再生する段階とを含むことを特徴とする請求項１６に記載の再生方法。
【請求項２０】
前記再生段階は、
前記第１代替データは、前記情報記録媒体の第１スペア領域から再生し、前記第２代替データは、前記第１スペア領域と分離されて設けられた第２スペア領域から再生する段階を含むことを特徴とする請求項１９に記載の再生方法。
【請求項２１】
各記録層が同じ再生及び／または記録光学系を利用してデータが再生されたりデータが記録される少なくとも２以上の記録層を有する情報記録媒体からデータを再生する装置において、
情報記録媒体からデータを再生する再生部と、
ユーザデータを保存するための少なくとも２つのデータフォーマットを有するＥＣＣブロックを、それぞれ互いに異なる記録層から再生するように、前記再生部を制御する制御部とを含むことを特徴とする再生装置。
【請求項２２】
前記制御部は、
第１厚のカバー層を有する記録層から、少なくとも２つのデータフォーマットのうち、第１エラー訂正性能を有するデータフォーマットを利用してＥＣＣブロックを再生し、前記第１厚よりさらに薄い第２厚のカバー層を有するさらに他の記録層から、前記少なくとも２つのデータフォーマットのうち、前記第１エラー訂正性能と比較して、相対的に高い第２エラー訂正性能を有するデータフォーマットを利用してＥＣＣブロックを再生するように、前記再生部を制御することを特徴とする請求項２１に記載の再生装置。
【請求項２３】
前記各記録層には、ディスク管理情報領域が設けられ、
前記制御部は、
前記各記録層のディスク管理情報領域から同じデータフォーマットを有するＥＣＣブロックを再生するように、前記再生部をさらに制御することを特徴とする請求項２１に記載の再生装置。
【請求項２４】
前記制御部は、
第１データフォーマットを有する第１タイプＥＣＣブロックに、欠陥管理オペレーションまたは論理的書き換えオペレーションを行い、前記第１データフォーマットを有する第１タイプＥＣＣブロックの第１ユーザデータを代替する第１代替データを再生し、第２データフォーマットを有する第２タイプＥＣＣブロックに、欠陥管理オペレーションまたは論理的書き換えオペレーションを行い、前記第２データフォーマットを有する第２タイプＥＣＣブロックの第２ユーザデータを代替する第２代替データを再生するように、前記再生を制御することを特徴とする請求項２１に記載の再生装置。
【請求項２５】
前記制御部は、
前記第１代替データは、第１スペア領域から読み取り、前記第２代替データは、前記第１スペア領域と分離されて設けられた第２スペア領域から読み取るように、前記再生部をさらに制御することを特徴とする請求項２４に記載の再生装置。
【請求項２６】
情報記録媒体にデータを記録する方法において、
前記情報記録媒体の各記録層にＥＣＣブロックを記録する段階を含み、
ユーザデータと、前記ユーザデータを記録及び／または再生するのに利用され、各ＥＣＣブロックに含まれた付加情報との比率は、各記録層にそれぞれ対応するカバー層の厚みによって異なることを特徴とする記録方法。
【請求項２７】
前記付加情報の量は、前記カバー層の厚みが薄くなるとき、前記ユーザデータの量によって増加することを特徴とする請求項２６に記載の記録方法。
【請求項２８】
前記付加情報は、パリティ情報を含むことを特徴とする請求項２６に記載の記録方法。
【請求項２９】
情報記録媒体からデータを再生する方法において、
前記情報記録媒体の各記録層からＥＣＣブロックを再生する段階を含み、
ユーザデータと、前記ユーザデータを記録及び／または再生するのに利用され、各ＥＣＣブロックに含まれた付加情報との比率は、各記録層にそれぞれ対応するカバー層の厚みによって異なることを特徴とする再生方法。
【請求項３０】
前記付加情報の量は、前記カバー層の厚みが薄くなるとき、前記ユーザデータの量によって増加することを特徴とする請求項２９に記載の再生方法。
【請求項３１】
前記付加情報は、パリティ情報を含むことを特徴とする請求項３０に記載の再生方法。
【発明の詳細な説明】
【技術分野】
【０００１】
本発明は、記録／再生装置及び方法、その情報記録媒体に係り、さらに具体的には、多層情報記録媒体の各層の互いに異なる信号品質によるデータ容量の減少またはデータ信頼性の低下を減少させる記録及び／または再生装置、及び記録及び／または再生方法、並びにその情報記録媒体に関する。
【背景技術】
【０００２】
情報記録媒体の高容量化のために、高密度多層の情報記録媒体の開発が活発になっている。光学システム（optical  system）でディスクは、記録層の保護のために、カバーレイヤ（cover  layer）をおくことになるが、カバーレイヤの厚みは、多層ディスクでは、ディスク表面から記録層までの厚みと定義される。カバーレイヤ厚は、ＣＤの場合に１．２ｍｍ、ＤＶＤの場合に０．６ｍｍ、ＢＤＶＤ（blu-ray  ＤＶＤ）の場合に０．１ｍｍと、高密度になるほどその厚みはだんだんと薄くなる。また、多層のディスクで、カバーレイヤは、記録層によって異なるものとなってしまう。これにより、それぞれの記録層によって、カバーレイヤ厚が異なるものとなる。これによって、記録層によって、対物レンズを介した光ビームが、ディスク表面と出合う面積、すなわち、スポット面積が、記録層ごとに異なる。もし４層、８層、１６層のように多層をなす場合、光ビームがディスク表面と出合う最小面積と最大面積との差は大きくならざるをえない。これによって、ディスク表面上の同じサイズのホコリに対する影響が記録層によって異なり、その異なる程度は、記録層の数が多くなるほど、深刻化してしまう。これによって、多層ディスクにおいて、層別にホコリによるエラー影響を解消する方法が必要である。
【０００３】
図１は、カバーレイヤ厚が異なることによって、レイヤ別スポット面積の差を説明するための参考図である。図１を参照するに、記録層ごとにカバーレイヤ厚が異なることによって、光ビームがディスク表面と出合う面積であるスポット面積が、記録層ごとに異なって示される。すなわち、カバーレイヤ厚がレイヤ１より薄いレイヤ２のスポット面積２は、レイヤ１のスポット面積１より小さく、カバーレイヤ厚がレイヤ２より厚いレイヤ１のスポット面積１は、レイヤ２のスポット面積２より大きい。これによって、ホコリによって入射／反射されるビームが遮断されるために、同じホコリに対して、記録層ごとに反射される反射量が異なる。これは、反射量は、「スポット面積」−「ホコリによって入射／反射が遮断される面積」と比例するが、ディスク表面の同じホコリに対して、記録層ごとに、「ホコリによって入射／反射が遮断される面積」は、同じである一方、スポット面積は、記録層ごとにカバーレイヤ厚が異なるによって異なって示されるためである。
【０００４】
多層によって、記録層別のカバーレイヤ厚が異なることによって、ディスク表面に発生した同じホコリ、指紋、スクラッチ（scratch）、バブル（bubble）のような欠陥要因によって、層別に異なるエラー影響を有するにもかかわらず、従来のように、記録層に係わり合いなく、同じデータフォーマット（data format）を適用する場合、次のような問題点が生じる。
【０００５】
すなわち、データ容量を考慮し、欠陥要因によって最も影響を受けない記録層を基準にデータフォーマットを形成すれば、データ信頼性は、欠陥要因によって最も影響を受ける記録層によって左右され、ディスク寿命が短くなる。
【０００６】
また、データ信頼性を挽回するために、欠陥要因によって最も影響を受ける記録層を基準にデータフォーマットを形成すれば、ディスクで発生したエラーを訂正するための付加情報量が相対的に増え、データ容量の減少をもたらす。
【０００７】
例えば、４層のディスクがあるが、１層と２層とのホコリのような欠陥要因によるエラー影響が類似しているが、３層と４層は、同じ欠陥要因によって、１層と２層とに比べて、そのエラー影響が２倍ほど大きいとする。もし１層と２層とに適するように、データフォーマットを構成すれば、３層と４層とについては、そのデータ信頼性がそれだけ落ちることになり、相対的に脆弱な３層と４層とに適するように、データフォーマットを構成すれば、１層と２層は、必要以上の付加情報量を有するために、容量が減少することになる。
【０００８】
一般的に、データフォーマットは、ユーザデータと付加情報とから構成されるが、ユーザデータとは、実際に保存される情報をいい、付加情報とは、実際保存される情報をディスクに記録／保存するとき、必要であるか、または今後の再生時に必要な実際に保存される情報外の情報をいう。一般的に、ディスク上に記録／保存されるとき、スクランブリング、変調のような過程を経て、データが変換された形態で保存される。付加情報は、一般的な光学システムにおいて、同期（sync）情報、アドレス（address）情報、パリティ情報を挙げことができる。特に、本発明で、付加情報というのは、パリティ情報を主に示す。
【発明の概要】
【発明が解決しようとする課題】
【０００９】
本発明は、前記のような問題点を解決し、多層情報記録媒体において、層別に信号品質が異なることによって発生するデータの信頼性低下や容量減少を減らすための記録／再生装置及び方法、その情報記録媒体を提供することを目的とする。
【課題を解決するための手段】
【００１０】
本発明の一特徴によって、各記録層に同じ記録及び／または再生の光学系を利用し、データが再生／記録される少なくとも２以上の記録層を含む情報記録媒体において、前記少なくとも２以上の記録層それぞれには、ユーザデータを保存するための少なくとも２つのデータフォーマットによるＥＣＣ（error  correction  code）ブロックがそれぞれ記録されるのである。
【００１１】
本発明の一特徴によって、第１厚のカバー層を有する記録層には、少なくとも２つのデータフォーマットのうち、第１エラー訂正性能を有するデータフォーマットを利用してＥＣＣブロックが記録され、前記第１厚よりさらに薄い第２厚のカバー層を有する他の記録層には、前記少なくとも２つのデータフォーマットのうち、前記第１エラー訂正性能と比較して、相対的に高い第２エラー訂正性能を有するデータフォーマットを利用してＥＣＣブロックが記録される。
【００１２】
本発明の一特徴によって、前記各記録層には、ユーザデータが記録されるデータ領域とは別途のディスク管理情報領域が設けられ、前記各記録層のディスク管理情報領域には、同じデータフォーマットを有する少なくとも１つのＥＣＣブロックが記録される。
【００１３】
本発明の一特徴によって、第１データフォーマットを利用して第１ＥＣＣブロックに記録された第１ユーザデータの欠陥管理または論理的書き換えによる代替のための第１代替データは、第１データフォーマットを利用して第１ＥＣＣブロックに記録され、第２データフォーマットを利用して第２ＥＣＣブロックに記録された第２ユーザデータの欠陥管理または論理的書き換えによる代替のための第２代替データは、第２データフォーマットを利用して第２  ＥＣＣブロックに記録される。
【００１４】
本発明の一特徴によって、前記第１データフォーマットを有する第１ＥＣＣブロックが記録される記録層に設けられ、前記第１代替データを記録するための第１スペア領域と、前記第２データフォーマットを有する第２ＥＣＣブロックが記録される記録層に設けられ、前記第２代替データを記録するための第２スペア領域とをさらに含む。
【００１５】
本発明の他の特徴によって、各記録層が同じ再生及び／または記録光学系を利用してデータが再生されたりデータが記録される少なくとも２以上の記録層を有する情報記録媒体にデータを記録する方法において、前記少なくとも２以上の記録層それぞれにユーザデータを保存するための少なくとも２つのデータフォーマットによるＥＣＣブロックを、それぞれ記録する段階を含むのである。
【００１６】
本発明の一特徴によって、前記記録段階は、第１厚のカバー層を有する記録層には、少なくとも２つのデータフォーマットのうち、第１エラー訂正性能を有するデータフォーマットを利用してＥＣＣブロックを記録する段階と、前記第１厚よりさらに薄い第２厚のカバー層を有するまた異なる記録層には、前記少なくとも２つのデータフォーマットのうち、前記第１エラー訂正性能と比較して、相対的に高い第２エラー訂正性能を有するデータフォーマットを利用してＥＣＣブロックを記録する段階とを含む。
【００１７】
本発明の一特徴によって、前記各記録層には、ディスク管理情報領域が設けられ、前記記録段階は、前記各記録層のディスク管理情報領域には、同じデータフォーマットを有するＥＣＣブロックを記録する段階を含む。
【００１８】
本発明の一特徴によって、前記記録段階は、第１データフォーマットを利用して第１ＥＣＣブロックに記録された第１ユーザデータの欠陥管理または論理的書き換えによる代替のための第１代替データを、第１データフォーマットを利用して第１ＥＣＣブロックに記録する段階と、第２データフォーマットを利用して第２ＥＣＣブロックに記録された第２ユーザデータの欠陥管理または論理的書き換えによる代替のための第２代替データを、第２データフォーマットを利用して第２ＥＣＣブロックに記録する段階とを含む。
【００１９】
本発明の一特徴によって、前記記録段階は、前記第１代替データは、前記情報記録媒体の第１スペア領域に記録し、前記第２代替データは、前記第１スペア領域と分離されて設けられた第２スペア領域に記録する段階を含む。
【００２０】
本発明のさらに他の特徴によって、各記録層が同じ再生及び／または記録光学系を利用してデータが再生されたりデータが記録される少なくとも２以上の記録層を有する情報記録媒体に、データを記録する記録装置において、情報記録媒体にデータを記録する記録部と、前記少なくとも２以上の記録層それぞれには、ユーザデータを保存するための少なくとも２つのデータフォーマットによるＥＣＣブロックをそれぞれ記録するように、前記記録部を制御する制御部とを含む。
【００２１】
本発明のさらに他の特徴によって、各記録層が同じ再生／記録光学系を利用してデータが再生されたりデータが記録される少なくとも２以上の記録層を有する情報記録媒体からデータを再生する再生方法において、ユーザデータを保存するための少なくとも２つのデータフォーマットを有するＥＣＣブロックを、それぞれ互いに異なる記録層から再生する段階を含む。
【００２２】
本発明の一特徴によって、前記再生段階は、第１厚のカバー層を有する記録層から、少なくとも２つのデータフォーマットのうち、第１エラー訂正性能を有するデータフォーマットを利用してＥＣＣブロックを再生し、前記第１厚よりさらに薄い第２厚のカバー層を有するまた異なる記録層から、前記少なくとも２つのデータフォーマットのうち、前記第１エラー訂正性能と比較して、相対的に高い第２エラー訂正性能を有するデータフォーマットを利用してＥＣＣブロックを再生する段階を含む。
【００２３】
本発明の一特徴によって、前記各記録層には、ディスク管理情報領域が設けられ、前記再生段階は、前記各記録層のディスク管理情報領域から同じデータフォーマットを有するＥＣＣブロックを再生する段階を含む。
【００２４】
本発明の一特徴によって、前記再生段階は、第１データフォーマットを有する第１タイプＥＣＣブロックに、欠陥管理オペレーションまたは論理的書き換えオペレーションを行い、前記第１データフォーマットを有する第１タイプＥＣＣブロックの第１ユーザデータを代替する第１代替データを再生する段階と、第２データフォーマットを有する第２タイプＥＣＣブロックに、欠陥管理オペレーションまたは論理的書き換えオペレーションを行い、前記第２データフォーマットを有する第２タイプＥＣＣブロックの第２ユーザデータを代替する第２代替データとを再生する段階を含む。
【００２５】
本発明の一特徴によって、前記再生段階は、前記第１代替データは、前記情報記録媒体の第１スペア領域から再生し、前記第２代替データは、前記第１スペア領域と分離されて設けられた第２スペア領域から再生する段階を含む。
【００２６】
本発明のさらに他の特徴によって、各記録層が同じ再生及び／または記録光学系を利用し、データが再生されたりデータが記録される少なくとも２以上の記録層を有する情報記録媒体からデータを再生する装置において、情報記録媒体からデータを再生する再生部と、ユーザデータを保存するための少なくとも２つのデータフォーマットを有するＥＣＣブロックを、それぞれ互いに異なる記録層から再生するように、前記再生部を制御する制御部とを含む。
【発明の効果】
【００２７】
本発明によれば、各層に対して、同じ再生／記録光学系を利用して再生／記録する多層情報記録媒体において、層別に信号品質が異なることによって発生するデータの信頼性低下や容量の減少を、本発明のような複数のデータフォーマット（multi data format）を利用して記録／再生することによって、データの信頼性を保証し、保存容量を最大限高めることができる。
【図面の簡単な説明】
【００２８】
【図１】カバーレイヤ厚が異なることによるレイヤ別スポット面積の差を説明するための参考図である。
【図２】本発明によって、ディスクのレイヤ別に互いに異なるデータフォーマットを適用する概念を説明するための参考図である。
【図３】本発明による互いに異なるデータフォーマットの一例である。
【図４】本発明による互いに異なるデータフォーマットの他の例であり、付加情報の大きさは同一にし、ユーザデータの大きさを互いに異ならせた例である。の大きさは同一にし、ユーザデータの大きさを互いに異ならせた例である。
【図５】図５は本発明による互いに異なるデータフォーマットのさらに他の例であり、ユーザデータの大きさは同一にし、付加情報の大きさを互いに異ならせた例である。
【図６】本発明によって、ディスクのレイヤ別にデータ領域には、互いに異なるデータフォーマットを適用しても、ディスク管理情報領域には、同じデータフォーマットを適用する例である。
【図７】本発明によって、欠陥管理またはＬＯＷ（logical  overwrite）による代替時、オリジナルデータとオリジナルデータを代替する代替データとのデータフォーマットを同一にさせる例である。
【図８】図７の例を６層ディスクに適用して説明するための例である。
【図９】本発明による記録／再生装置のブロック図である。
【図１０】６層ディスクで、レイヤ別カバーレイヤ厚を示す一例である。
【図１１】（Ａ）は図１０に図示されたディスクに、ユーザデータを１２８ＫＢ単位で保存するためのデータフォーマット１のためのＥＣＣブロック１の一例であり、（Ｂ）は図１０に図示されたディスクに、ユーザデータを１３６ＫＢ単位で保存するためのデータフォーマット２のためのＥＣＣブロック２の一例である。
【図１２】本発明による記録方法のフローチャートである。
【図１３】本発明による再生方法のフローチャートである。
【発明を実施するための形態】
【００２９】
以下、添付された図面を参照しつつ、本発明について説明する。
【００３０】
多層のディスクにおいてディスクの表面上に発生したホコリ、指紋、スクラッチ、バブルのような欠陥要因によって、記録層別にそのエラー影響程度が異なることによって、データの信頼性が低下したり、またはディスクの容量が減少する問題を解決するために、本発明は、少なくとも二種のデータフォーマットを有する多層ディスクのためのマルチデータフォーマットを提案する。もちろん、本発明でいう多層ディスクは、各層に対する再生／記録光学系が同じであるディスクをいう。再生／記録光学系というのは、例えば、再生／記録の波長や対物レンズの開口数などをいう。言い換えれば、本発明でいう多層ディスクとは、第１層は、第１規格、例えばＢＤによる記録層であり、第２層は、第２規格、例えばＤＶＤによる記録層の多層ディスクを適用対象とするのではなく、第１層でも第２でもいずれも同じ規格による記録層である多層ディスクを適用対象とする。
【００３１】
図２は、本発明によって、各レイヤに対して、再生／記録光学系が同じであるディスク２００のレイヤ別に、互いに異なるデータフォーマットを適用する概念を説明するための参考図を示す。
【００３２】
図２を参照するに、ディスクの表面の欠陥要因によって、そのエラー影響の程度が相対的に少ない層であるレイヤ１には、ユーザデータに比べて、付加情報の比率が相対的に低いデータフォーマット２２０を構成して記録し、一方ディスクの表面の欠陥要因によって、そのエラー影響の程度が相対的に大きい層であるレイヤ２には、ユーザデータに比べて、付加情報の比率が相対的に高いデータフォーマット２１０を構成して記録することによって、今後の再生時、多層ディスクのデータ信頼性を保証し、かつ最大限多量のユーザデータを記録する空間を確保する。本発明の一特徴によれば、付加情報は、パリティ情報を含む。しかし、付加情報は、パリティ情報に限定されるものではなく、ユーザデータ、シンク情報、アドレス情報、またはこの三種の情報の組み合わせなどを記録及び／または再生するのに利用されるいかなる種類の情報でもよい。
【００３３】
ユーザデータに比べて、付加情報の比率を相対的に低く、または相対的に高くする方法について説明する。
【００３４】
図３（Ａ）及び（Ｂ）は、本発明による互いに異なるデータフォーマットの一例を示している。図３（Ａ）及び（Ｂ）を参照するに、第１データフォーマットと第２データフォーマットは、ユーザデータと付加情報とを合わせた全体データの大きさは同一であるが、第１データフォーマット３１０は、第２データフォーマット３２０と比較して、ユーザデータに比べて付加情報の比率が相対的に高く、第２データフォーマット３２０は、第１データフォーマット３１０と比較して、ユーザデータに比べて付加情報の比率が相対的に低い。符号化信頼性は、付加情報の比率が相対的に高い第１データフォーマットがより良好である。
【００３５】
図４（Ａ）及び（Ｂ）は、本発明による互いに異なるデータフォーマット４１０，４２０の他の例であり、付加情報の大きさは同一にし、ユーザデータの大きさを互いに異ならせた例を示す。すなわち、データフォーマット内で、付加情報の大きさは同一にし、データフォーマット内で保存されるユーザデータの大きさを調節し、付加情報の比率を相対的に低く、または高くデータフォーマットを構成する。
【００３６】
図４（Ａ）及び（Ｂ）を参照するに、第１データフォーマット４１０と第２データフォーマット４２０とが表示されている。第１データフォーマット４１０の付加情報４１２と、第２データフォーマット４２０の付加情報４２２との大きさは同一であり、第１データフォーマット４１０のユーザデータ４１１と、第２データフォーマット４２０のユーザデータ４２１との大きさは互いに異なる。第１データフォーマット４１０の付加情報４１２の大きさは、第２データフォーマット４２０の付加情報４２２の大きさと同一であるが、ユーザデータ４１１の大きさが、第２データフォーマット４２２のユーザデータ４２１の大きさよりより小さいために、第１データフォーマット４１０の符号化の信頼性は、第２データフォーマット４２０の符号化信頼性より高い。
【００３７】
図５（Ａ）及び（Ｂ）は、本発明による互いに異なるデータフォーマット５１０，５２０の他の例であり、ユーザデータの大きさは同一にし、付加情報の大きさを互いに異ならせた例を示す。すなわち、データフォーマット内に保存されるユーザデータの大きさは同一にし、データフォーマット内の付加情報の大きさを調節し、付加情報の比率を相対的に低く、または高くデータフォーマットを構成する。
【００３８】
図５（Ａ）及び（Ｂ）を参照するに、第１データフォーマット５１０と第２データフォーマット５２０とが表示されている。第１データフォーマット５１０の付加情報５１２と、第２データフォーマット５２０の付加情報５２２との大きさは互いに異なり、第１データフォーマット５１０のユーザデータ５１１と、第２データフォーマット５２０のユーザデータ５２１との大きさは同一である。第２データフォーマット５２０のユーザデータ５２１の大きさは、第１データフォーマット５１０のユーザデータ５１１の大きさと同一であるが、付加情報５２２の大きさが、第１データフォーマット５１０の付加情報５１２の大きさよりより大きいために、第２データフォーマット５２０の符号化の信頼性は、第１データフォーマット５１０の符号化信頼性より高い。
【００３９】
このように、図３、図４、図５に図示された方法以外にも、データフォーマット内のユーザデータをエラー訂正するためのエラー訂正コードワードの長さを異ならせる方法もある。同じ付加率でユーザデータに付加情報を付加しても、エラー訂正コードワード長を長くすれば、エラー訂正性能は上がる。
【００４０】
一方、多層ディスクで、各記録層ごとに互いに異なるデータフォーマットを利用してデータ記録をするとしても、このようなマルチデータフォーマット（multi  data  format）によるディスク運用の複雑さを減らすために、ディスクの記録／再生管理のための情報を記録するための領域であるディスク管理情報領域に記録されるデータのデータフォーマットは、記録層に関係なく同一にし、ディスク運用を容易にすることが望ましい。
【００４１】
図６は、本発明によって、ディスクのレイヤ別にデータ領域には、互いに異なるデータフォーマットを適用しても、ディスク管理情報領域には、同じデータフォーマットを適用する例を示している。
【００４２】
図６を参照するに、ディスク２００は、レイヤ１とレイヤ２とから構成され、各レイヤには、リードイン領域２１０、データ領域２２０、リードアウト領域２３０が設けられる。そして、レイヤ１とレイヤ２とのリードイン領域２１０には、ディスク管理情報領域２１１が設けられる。本発明によって、レイヤ１のデータ領域２２０には、第２データフォーマットを利用してデータを記録し、レイヤ２のデータ領域２２０には、第１データフォーマットを利用してデータを記録するとしても、レイヤ１とレイヤ２とのリードイン領域２１０に設けられたディスク管理情報領域２１１には、１つのデータフォーマット、例えば、第１データフォーマットでデータを記録することが望ましい。これは、記録／再生装置でディスク管理情報を利用するとき、レイヤ１のディスク管理情報領域のディスク管理情報と、レイヤ２のディスク管理情報領域のディスク管理情報とを連続して記録したり再生したり、または、レイヤ１のディスク管理情報と、レイヤ２のディスク管理情報とをまとめて管理する状況が頻繁に発生しうるためである。
【００４３】
図７は、本発明によって、欠陥管理または論理的書き換え（ＬＯＷ：logical  overwrite）による代替時、オリジナルデータと、オリジナルデータを代替する代替データとのデータフォーマットを同一にさせる例を示している。
【００４４】
「欠陥管理による代替」とは、ディスクの所定領域に記録されたデータから欠陥が検出された場合、その欠陥あるデータを代替する代替データを、ディスクの他の領域に再び記録することをいう。「ＬＯＷ（logical  overwrite）による代替」とは、ディスクの所定領域に記録されたデータをアップデートするために、アップデートされた代替データをディスクの他の領域に再び記録することをいう。このように、欠陥管理による代替でも、ＬＯＷによる代替でも、代替を行う場合には、オリジナルデータと代替データとのデータフォーマットを同一にさせることがデータ管理を容易にする。
【００４５】
図７を参照するに、ディスク２００のレイヤ２に第１データフォーマットで記録したオリジナルデータ７１０の欠陥管理またはＬＯＷによる代替のための代替データ７２０は、同一に第１データフォーマットで記録し、ディスク２００のレイヤ１に第２データフォーマットで記録したオリジナルデータ７３０の欠陥管理またはＬＯＷによる代替のための代替データ７４０は、同一に第２データフォーマットで記録する。
【００４６】
図８は、図７の例を６層ディスク２０１に適用して説明するための例を示している。図８を参照するに、６層ディスクに対して、２つのデータフォーマットを利用して記録する。レイヤ１，２，３は、第２データフォーマットによって記録し、レイヤ４，５，６は、第１データフォーマットによって記録するとするとき、レイヤ１、レイヤ２またはレイヤ３に発生した欠陥管理やＬＯＷによる代替データは、レイヤ１、レイヤ２またはレイヤ３内に記録され、レイヤ４、レイヤ５またはレイヤ６に発生した欠陥管理やＬＯＷによる代替データは、レイヤ４、レイヤ５またはレイヤ６内に記録される。本発明の特徴は、６層よりさらに多っかたりさらに少ない光ディスクに採用されうるということを理解せねばならない。
【００４７】
具体的には、図８に図示された例で、レイヤ６に記録されたオリジナルデータＡに対する欠陥やＬＯＷによる代替データＡ’は、レイヤ５に記録され、レイヤ１に記録されたオリジナルデータＢに係わる欠陥やＬＯＷによる代替データＢ’は、レイヤ３に記録される。もちろん、図８に図示された例に限定されるものではなく、レイヤ６に記録されたオリジナルデータＡに係わる欠陥やＬＯＷによる代替データＡ’は、レイヤ４、レイヤ５またはレイヤ６に記録され、レイヤ１に記録されたオリジナルデータＢに係わる欠陥やＬＯＷによる代替データＢ’は、レイヤ１、レイヤ２またはレイヤ３に記録されうる。
【００４８】
このように、レイヤ１，２，３とレイヤ４，５，６は、互いに異なるデータフォーマットによってデータが記録されているために、そのデータに係わる代替データも同じデータフォーマットを利用するレイヤ内で記録されるのが、データ管理において容易である。
【００４９】
図９は、本発明による記録／再生装置９００の概略図を示している。
【００５０】
図９を参照するに、本発明による記録／再生装置９００は、記録または再生が可能な装置であり、記録／再生部９２０及び制御部９１０を含む。記録／再生部９２０は、制御部９１０の制御によって、本発明による情報記録媒体、すなわち、各層ごとに同じ再生／記録光学系が使われるディスク３００にデータを記録し、記録されたデータを再生するためにデータを読み取る。制御部９１０は、データの記録／再生のために記録／再生部９２０を制御し、記録するデータ及び読み取られたデータの信号処理を行う。
【００５１】
特に、制御部９１０は、本発明によって、ユーザデータを保存するための少なくとも２つのデータフォーマットを有するＥＣＣ（error  correction  code）ブロックを、それぞれ前記情報記録媒体の互いに異なる記録層に記録するように、記録／再生部９２０を制御したり、または記録／再生部９２０によって読み取られたデータを処理し、有効なデータを得る。
【００５２】
また、制御部９１０は、本発明によって、ディスク２００のカバー層が厚い記録層には、相対的にエラー訂正性能が低いデータフォーマットを有するＥＣＣブロックを記録し、前記カバー層が薄い記録層には、相対的にエラー訂正性能が高いデータフォーマットを有するＥＣＣブロックを記録するように、記録／再生部９２０を制御することが望ましい。
【００５３】
また、ディスク２００の各記録層に、ディスク管理情報領域が設けられた場合に、制御部９１０は、前記各記録層のディスク管理情報領域に同じデータフォーマットを有するＥＣＣブロックを記録するように、前記記録／再生部９２０を制御することが望ましい。
【００５４】
また、制御部９１０は、第１データフォーマットを有するＥＣＣブロックに記録された第１ユーザデータの欠陥管理またはＬＯＷによる代替のための第１代替データを、第１データフォーマットを有するＥＣＣブロックに記録し、第２データフォーマットを有するＥＣＣブロックに記録された第２ユーザデータの欠陥管理またはＬＯＷによる代替のための第２代替データを、第２データフォーマットを有するＥＣＣブロックに記録するように、前記記録／再生部９２０を制御することが望ましい。
【００５５】
また、制御部９１０は、第１代替データは、第１スペア領域に記録し、前記第２代替データは、前記第１スペア領域と分離されて設けられた第２スペア領域に記録するように、前記記録／再生部９２０を制御することが望ましい。第１スペア領域及び第２スペア領域は、リードイン領域２１０やデータ領域２２０のように、ディスク２００の多様な位置に位置しうる。
【００５６】
記録／再生部９２０として、ピックアップを具備する。ディスク２００は、ピックアップに装着されている。また、制御部９１０は、ホストＩ／Ｆ（interface）９１１、ＤＳＰ（digital  signal  processor）９１２、ＲＦ（radio  frequency）ＡＭＰ（amplifier）９１３、サーボ９１４及びシステム制御器９１５を具備する。
【００５７】
ホスト９３０は、ユーザからデータ記録／再生命令を受信し、これを、ホストＩ／Ｆ
９１１を介して記録／再生装置に伝達する。
【００５８】
ホストＩ／Ｆ  ９１１は、ホスト９３０と記録／再生装置９００とのインターフェースのための装置である。システム制御器９１５は、ホスト９３０からの記録／再生命令によるデータのデータフォーマットを決定し、決定されたデータフォーマットによって記録するデータをエンコーディングするように、ＤＳＰ  ９１２のデータ・フォーマッタ／デフォーマッタ９１６を制御する。
【００５９】
特に、本発明によるＤＳＰ  ９１２は、少なくとも２以上のデータフォーマットを構成するデータ・フォーマッタ／デフォーマッタ９１６を含むが、データ・フォーマッタ／デフォーマッタ９１６は、システム制御器９１５の制御によってディスクの各記録層に記録されるＥＣＣブロックで、ユーザデータをエンコーディングし、ＥＤＣ（error  detection  code）、アドレス情報などを挿入し、記録層に合うデータフォーマットを構成する。ＤＳＰ  ２１２は、構成されたデータフォーマットのデータを変調し、同期パターンを一定周期別に挿入し、記録単位ブロックを形成する。ＲＦ  ＡＭＰ  ９１３は、ＤＳＰ  ９１２から出力されたデータをＲＦ信号に変える。ピックアップ９２０は、ＲＦ  ＡＭＰ  ９１３から出力されたＲＦ信号をディスク３００に記録する。サーボ９１４は、システム制御器９１５からサーボ制御に必要な命令を入力され、ピックアップ９２０をサーボ制御する。
【００６０】
再生時、ホストＩ／Ｆ ９１１は、ホスト９３０から再生命令を受ける。システム制御器９１５は、再生に必要な初期化を行う。
【００６１】
システム制御器９１５は、ディスク３００の所定領域に記録された記録管理データを読み取るように、記録／再生部９２０を制御する。
【００６２】
特に、本発明によってシステム制御器９１５は、ディスク２００からユーザデータを保存するための少なくとも２つのデータフォーマットを有するＥＣＣブロックを、それぞれ互いに異なる記録層から読み取るように、記録／再生部９２０を制御する。また、システム制御器９１５は、ディスク２００のカバー層が厚い記録層から、相対的にエラー訂正性能が低いデータフォーマットを有するＥＣＣブロックを読み取り、前記カバー層が薄い記録層から、相対的にエラー訂正性能が高いデータフォーマットを有するＥＣＣブロックを読み取るように、記録／再生部９２０を制御することが望ましい。また、前記ディスク２００の各記録層に、ディスク管理情報領域が設けられた場合に、システム制御器９１５は、各記録層のディスク管理情報領域から、同じデータフォーマットを有するＥＣＣブロックを読み取るように、記録／再生部９２０を制御することが望ましい。しかし、本発明の他の特徴によって、ディスク２００は、各記録層にディスク管理情報領域を有することが要求されないことを理解せねばならない。
【００６３】
ピックアップ９２０は、ディスク２００にレーザビームを照射し、ディスク２００から反射されたレーザビームを受光して得られた光信号を出力する。ＲＦ  ＡＭＰ  ９１３は、ピックアップ９２０から出力された光信号をＲＦ信号に変え、ＲＦ信号から得られた変調されたデータをＤＳＰ  ９１２に提供する一方、ＲＦ信号から得られた制御のためのサーボ信号を、サーボ９１４に提供する。ＤＳＰ  ９１２は、変調されたデータを復調し、ＥＣＣエラー訂正を経て得られたデータを出力する。特に、本発明によるＤＳＰ  ９１２のデータ・フォーマッタ／デフォーマッタ９１６は、システム制御器９１５からデコーディングするデータが、どの記録層から読み取られたものであるか、例えば、データを第１データフォーマットを利用してデフォーマットするか、第２データフォーマットを利用してデフォーマットするか示す決定信号を受信し、このような決定によって、デコーディングするデータをデコーディングする。また、データ・フォーマッタ／デフォーマッタ９１６は、第１データフォーマットを有するＥＣＣブロックに記録された第１ユーザデータの欠陥管理またはＬＯＷによる代替のための第１代替データは、第１データフォーマットによってデコーディングし、第２データフォーマットを有するＥＣＣブロックに記録された第２ユーザデータの欠陥管理またはＬＯＷによる代替のための第２代替データは、第２データフォーマットによってデコーディングすることが望ましい。
【００６４】
一方、サーボ９１４は、ＲＦ  ＡＭＰ  ９１３から受けたサーボ信号と、システム制御器９１５から受けたサーボ制御に必要な命令とを受け、ピックアップ９２０に対するサーボ制御を行う。ホストＩ／Ｆ  ９１１は、ＤＳＰ  ９１２から受けたデータを、ホスト９３０に送る。
【００６５】
図１０は、６層ディスクで、レイヤ別カバーレイヤ厚を示す一例である。図１０を参照するに、レイヤ１のカバーレイヤは１００μｍ、レイヤ２のカバーレイヤは９０μｍ、レイヤ３のカバーレイヤは８０μｍ、レイヤ４のカバーレイヤは７０μｍ、レイヤ５のカバーレイヤは６０μｍ、レイヤ６のカバーレイヤは５０μｍである。しかし、本発明の特徴は、図１０に図示されたところとは異なる厚みを有するカバー層を有する６層ディスクに具現できることを理解せねばならない。
【００６６】
図１１（Ａ）及び（Ｂ）は、図１０に図示されたディスク２０１で、ユーザデータを１２８ＫＢ単位で保存するためのデータフォーマット１のためのＥＣＣブロック１と、ユーザデータを１３６ＫＢバイト単位で保存するためのデータフォーマット２のためのＥＣＣブロック２との一例を示す。
【００６７】
図１１（Ａ）及び（Ｂ）に図示された実施形態のために適用された光学系仕様の値は、下記表１の通りである。
【００６８】
【表１】
2011503765.tif 000003
図１１（Ａ）は、ユーザデータを１２８ＫＢ単位で保存するための第１データフォーマットによるＥＣＣブロック１、図１１（Ｂ）は、ユーザデータを１３６ＫＢ単位で保存するための第２データフォーマットによるＥＣＣブロック２の構造である。図１１（Ａ）及び（Ｂ）を参照するに、ＥＣＣブロック１とＥＣＣブロック２との大きさが、２４８ｘ６４０と、同一であることが分かるが、このように、その大きさを同一に構成することによって、実際の情報記録媒体上に記録するために、変調（modulation）、同期パターン（sync  pattern）の追加のように、実際の記録単位形態に転換するとき、転換された記録単位フォーマットを同一に維持することによって、２個のＥＣＣブロックによる複雑度を解消できる。図１１（Ａ）、（Ｂ）に図示されたＥＣＣブロックに適用されるＥＣＣコードは、ＲＳ（reed-solomon）、ＬＤＰＣ（low  density  parity  check）どちらも適用されうる。ＲＳまたはＬＤＰＣコードは、ＥＣＣブロック１及びＥＣＣブロック２の一つまたは二つに適用されたり、またはＲＳとＬＤＰＣとの組み合わせが、ＥＣＣブロック１及びＥＣＣブロック２の一つまたは二つに適用されうることを理解せねばならない。ＲＳコードが適用される場合の例は、ＥＣＣブロック１のためには、ＲＳ（２４８，２０８）６４０個、ＥＣＣブロック２のためには、ＲＳ（２４８，２１６）６４０個として適用されうる。このようなＥＣＣブロック１及びＥＣＣブロック２は、与えられたインターリービング過程を経て、記録のために与えられた変調コード（modulation  code）で変調され、一定周期でシンクパターン（sync  pattern）を挿入し、実際の記録ための記録単位ブロックを形成した後で情報記録媒体上に記録されるが、ＥＣＣブロック１によって形成された記録単位ブロックは、相対的に欠陥要因によって影響を多く受けるレイヤ４、レイヤ５、レイヤ６に記録されるためのものであり、ＥＣＣブロック２は、相対的に欠陥要因によって影響を多く受けないレイヤ１、レイヤ２、レイヤ３に記録されるためのものである。ＥＣＣブロック１及びＥＣＣブロック２は、同数のレイヤに適用されることに制限されず、例えば、ＥＣＣブロック１は、レイヤ６にのみ記録され、ＥＣＣブロック２は、残りのレイヤ１ないしレイヤ５に記録されうる。
【００６９】
図１２は、本発明による記録方法のフローチャートを示す。図１２を参照するに、まず、記録／再生装置は、ホストから記録命令を受信する（１２１０）。すなわち、ホストは、記録されるユーザデータ、及びユーザデータが記録される論理アドレス（logical  sector  number）と共に、記録命令を下す。ホストＩ／Ｆは、ホストの記録命令による論理アドレスを、物理アドレス（physical  secto  rnumber）に転換する。
【００７０】
データを記録するレイヤに合うデータフォーマットでデータをエンコーディングする（１２２０）。すなわち、システム制御器９１５は、転換された物理アドレスに該当するレイヤに合うデータフォーマットを構成するように、データフォーマッタ９１６に命令する。データフォーマッタ９１６は、システム制御器９１５の制御によって、前記レイヤに合うデータフォーマットを有するＥＣＣブロックで、ユーザデータをＥＣＣエンコーディングし、ＥＤＣ、アドレス情報などを挿入し、記録されるデータフォーマットを構成する。それ以外にＤＳＰ  ９１２は、構成されたデータフォーマットを変調し、シンクパターンを一定周期別に挿入し、記録単位ブロックを形成し、これをＲＦ  ＡＭＰ  ９１３に提供する。ＲＦ  ＡＭＰ  ９１３は、受信された記録単位ブロックに合う記録ための記録パルスを生成し、これをピックアップ９２０に伝送する。
【００７１】
次に、エンコーディングされたデータをディスクに記録する（１２３０）。すなわち、サーボ９１４は、システム制御器９１５の命令によって、ユーザデータが記録される物理アドレス（ＰＳＮ）に該当するディスクの位置にピックアップ９２０を制御し、ピックアップ９２０は、受信された記録パルスによって光量を調節し、ディスクの当該記録層にデータを記録する。
【００７２】
図１３は、本発明による再生方法のフローチャートを示す。図１３を参照するに、ホストから再生命令を受信する（１３１０）。すなわち、ホストは、再生されるデータの論理アドレスと共に再生命令を伝送すれば、インターフェースは、再生命令による論理アドレスを物理アドレスに変換する。
【００７３】
次に、再生命令によるデータをディスクから読み取る（１３２０）。
【００７４】
システム制御器９１５は、物理アドレスに該当するレイヤを探し、サーボをしてこのような物理アドレスに該当する位置を見つけ出させるようにサーボ９１４に命令する。サーボは、ピックアップ９２０を物理アドレスに該当する位置に移動するように制御し、ピックアップ９２０は、物理アドレスからデータを読み取り、ＲＦ  ＡＭＰ  ９１３に伝送する。ＲＦ  ＡＭＰ  ９１３は、ピックアップから読み取られた信号をＲＦデータに変換し、これをＤＳＰ  ９１２に伝送する。
【００７５】
読み取られたデータを、データが読み取られたレイヤに利用されるデータフォーマットによってデコーディングする（１３３０）。すなわち、ＤＳＰ  ９１２は、受信されたＲＦデータを信号処理してデータフォーマッタ９１６に伝送し、データフォーマッタ９１６は、受信されたデータをＥＣＣデコーディングするが、このとき、システム制御器９１５は、データをいかなるデータフォーマットを利用してデコーディングするが、すなわち、データが読み取られたレイヤに利用されるデータフォーマットによってデコーディングするように制御し、データフォーマッタ９１６は、システム制御器９１５の制御によって受信されたデータが読み取られたレイヤに利用されるデータフォーマットによってデコーディングする。そして、デコーディングされたデータを、ホストＩ／Ｆ
９１１を介して、ホスト９３０に伝送する。
【００７６】
以上で説明したような記録／再生方法はまた、コンピュータで読み取り可能な記録媒体に、コンピュータで読み取り可能なコードとして具現することが可能である。コンピュータで読み取り可能な記録媒体は、コンピュータ・システムによって読み取り可能なデータが保存されるあらゆる種類の記録装置を含む。コンピュータで読み取り可能な記録媒体の例としては、ＲＯＭ（read-only  memory）、ＲＡＭ（random-access  memory）、ＣＤ−ＲＯＭ、磁気テープ、フロッピー（登録商標）ディスク、光データ保存装置などがあって、またキャリアウェーブ（例えば、インターネットを介した伝送）の形態で具現されるものも含む。また、コンピュータで読み取り可能な記録媒体は、ネットワークに連結されたコンピュータ・システムに分散され、分散方式でコンピュータで読み取り可能なコードが保存されて実行されうる。そして、前記記録／再生方法を具現するための機能的な（function）プログラム、コード及びコードセグメントは、本発明が属する技術分野のプログラマらによって容易に推論されうる。
【００７７】
以上、本発明について、その望ましい実施形態を中心に述べた。本発明が属する技術分野で当業者であるならば、本発明が本発明の本質的な特性から外れない範囲で変形された形態で具現されうることを理解することができるであろう。従って、開示された実施形態は、限定的な観点ではなくして説明的な観点から考慮されねばならない。本発明の範囲は、前述の説明ではなくして特許請求の範囲に示されており、それと同等な範囲内にあるあらゆる差異点は、本発明に含まれるものと解釈されねばならない。
【図１】
2011503765.tif 000004
【図２】
2011503765.tif 000005
【図３】
2011503765.tif 000006
【図４】
2011503765.tif 000007
【図５】
2011503765.tif 000008
【図６】
2011503765.tif 000009
【図７】
2011503765.tif 000010
【図８】
2011503765.tif 000011
【図９】
2011503765.tif 000012
【図１０】
2011503765.tif 000013
【図１１】
2011503765.tif 000014
【図１２】
2011503765.tif 000015
【図１３】
2011503765.tif 000016
【国際調査報告】
2011503765.tif 000017
2011503765.tif 000018
2011503765.tif 000019